(57)【特許請求の範囲】
【請求項１】
回転自在コンセントにおいて、
一組の３極挿入孔を具えた、円板と、
一つの軸方向に沿って、互いに離間するように配設された第１円柱形導電部、第２円柱形導電部、及び第３円柱形導電部であって、該第１円柱形導電部の内表面にＬ線の一端が半田付けされ、該第２円柱形導電部の内表面にＮ線の一端が半田付けされ、該第３円柱形導電部の内表面にアース線の一端が半田付けされた、上記第１円柱形導電部、上記第２円柱形導電部、及び上記第３円柱形導電部と、
絶縁材料部であって、モールディングにより該第１円柱形導電部、該第２円柱形導電部、及び該第３円柱形導電部と結合されて該円板の下に位置する円軸状アセンブリを構成する、上記絶縁材料部と、
Ｌ端子、Ｎ端子、及びアース端子であって、それぞれ該第１円弧形接触部より延伸されて該第１円柱形導電部の外周面上、該第２円弧形接触部より延伸されて該第２円柱形導電部の外周面上、及び該第３円弧形接触部より延伸されて該第３円柱形導電部の外周面上に当接するように組み合わされ、該Ｌ端子、該Ｎ端子及び該アース端子はそれぞれ該第１円柱形導電部、該第２円柱形導電部、及び該第３円柱形導電部の周りに沿って回転し、且つ該第１円弧形接触部、該第２円弧形接触部、及び該第３円弧形接触部はそれぞれ該第１円柱形導電部の該外周面、該第２円柱形導電部の該外周面、及び該第３円柱形導電部の該外周面と接触及び導通を保持する、上記Ｌ端子、上記Ｎ端子、及び上記アース端子と、
を包含したことを特徴とする、回転自在コンセント。
【請求項２】
請求項１記載の回転自在コンセントにおいて、回転支持座をさらに包含し、該回転支持座は該円板の下に設置され、その上部外周に下向きに、該一組の３極挿入孔に対応する第１収容室、第２収容室及び第３収容室が形成され、且つ該回転支持座の中央にチャネルがあり、該Ｌ端子、該Ｎ端子及び該アース端子はそれぞれ該第１収容室、該第２収容室及び該第３収容室中にそれぞれ設置され、該円軸状アセンブリは該チャネル中に位置することを特徴とする、回転自在コンセント。
【請求項３】
請求項２記載の回転自在コンセントにおいて、該絶縁材料部は、該第１円柱形導電部と該第２円柱形導電部を隔離絶縁する第１環形絶縁部と、該第２円柱形導電部と該第３円柱形導電部を隔離絶縁する第２環形絶縁部とを包含し、該第１環形絶縁部と該第２環形絶縁部の直径サイズは該第１円柱形導電部、該第２円柱形導電部、及び該第３円柱形導電部よりも大きく、該回転支持座内への架設に供されて、該円軸状アセンブリを該チャネル中に位置決めすることを特徴とする、回転自在コンセント。
【請求項４】
請求項３記載の回転自在コンセントにおいて、該回転支持座内部は第１階段と第２階段を有し、該第１環形絶縁部が該第１階段上に架設され、該第２環形絶縁部が該第２階段上に架設されることを特徴とする、回転自在コンセント。
【発明の詳細な説明】
【技術分野】
【０００１】
本発明は一種の電気接続構造に係り、特に、回転自在電気接続構造に関する。
【背景技術】
【０００２】
伝統的なコンセント、たとえば壁面コンセント或いは延長線コンセントは、通常、固定され且つ複数が並列するよう配設され、複数のプラグを同時使用できる。
【発明の概要】
【発明が解決しようとする課題】
【０００３】
しかし、コンセントの間隔が短すぎるか、プラグの形状或いは体積などの因子によっては、コンセントに複数のプラグを同時に差し込めず、使用者に不便をもたらす。ゆえに、良好な使用の自由度を有するコンセントが求められている。
【課題を解決するための手段】
【０００４】
本発明は、一種の回転自在の電気接続構造を提供し、それは、少なくとも二つの円柱形導電部、絶縁材料部及び少なくとも二つの導電端子を包含する。
【０００５】
該円柱形導電部は軸方向に沿って離間配設され、各円柱形導電部の内表面が導線の一端に半田付けされる。該絶縁材料部はモールディングにより該円柱形導電部に結合されて円軸状アセンブリを構成する。各該導電端子はそれぞれ該円柱形導電部に対応し、且つ各該導電端子は部分的に延伸されて円弧形接触部が形成されてそれに対応する円柱形導電部の外周面に当接し、各該導電端子はその対応する円柱形導電部に沿って回転し、且つ該円弧形接触部が該外周面との接触及び導通状態を保持する。
【０００６】
本発明に基づく具体的実施例は、回転自在のコンセントを提供する。それは、円板、第１円柱形導電部、第２円柱形導電部、第３円柱形導電部、Ｌ（ライブ）端子、Ｎ（ニュートラル）端子、アース端子及び絶縁材料部を包含する。
【０００７】
該円板には、一組の３極挿入孔が設けられている。該第１円柱形導電部、該第２円柱形導電部及び該第３円柱形導電部は軸方向に沿って、互いに離間するように配設される。そのうち、該第１円柱形導電部の内表面にＬ線の一端が半田付けされ、該第２円柱形導電部の内表面にＮ線の一端が半田付けされ、該第３円柱形導電部の内表面にアース線の一端が半田付けされる。
【０００８】
該絶縁材料部はモールディングにより該第１円柱形導電部、該第２円柱形導電部、第３円柱形導電部と結合されて、これにより該円板の下に位置する円軸状アセンブリが構成される。
【０００９】
該アース端子、該Ｌ端子、該Ｎ端子はそれぞれ部分的に延伸されて、第１円弧形接触部第２円弧接触部、及び第３円弧接触部が形成され、該第１円弧形接触部は該第１円柱形導電部の外周面に、該第２円弧形接触部は該第２円柱形導電部の外周面上に、該第３円弧形接触部は該第３円柱形導電部の外周面上にそれぞれ組み合わされる。そのうち、該Ｌ端子、該Ｎ端子と該アース端子はそれぞれ該第１円柱形導電部、該第２円柱形導電部、及び該第３円柱形導電部の周りに沿って回転し、且つ該第１円弧形接触部、該第２円弧形接触部、及び該第３円弧形接触部は、それぞれ該第１円柱形導電部の外周面、該第２円柱形導電部の外周面、該第３円柱形導電部の外円周面との接触と導通を保持する。
【発明の効果】
【００１０】
本発明は、外部プラグ（たとえば中国規格プラグ）が上述の本発明のコンセントに挿入された後、本発明に記載の電気接続構造により、任意に回転可能で並びに通電状態を保持できる。ゆえに、プラグ自身の体積或いは形状によりその他のプラグの差込みが妨害されることがない。
【図面の簡単な説明】
【００１１】
【図１】本発明の回転自在電気接続構造の外観図である。
【図２】図１の電気接続構造の分解図である。
【図３】本発明の導線と円柱形導電部の内表面の接続表示図である。
【図４】本発明の具体的実施例の回転自在のコンセントの外観図である。
【図５】図４のコンセントの分解図である。
【図６】本発明のコンセント本体の外観図である。
【図７】本発明のコンセント本体の分解図である。
【図８Ａ】本発明の左半部の回転支持座の内部表示図である。
【図８Ｂ】本発明の右半部の回転支持座の内部表示図である。
【発明を実施するための形態】
【００１２】
本発明の一つの範疇は、回転自在電気接続構造を提供することにある。図４を参照されたい。それは本発明の上述の電気接続構造を応用した回転自在のコンセント３を示す。注意すべきことは、コンセントの差込み口の数量は、図４に示される一組に限られるわけではないことである。
【００１３】
図５を参照されたい。コンセント３は、ケーシング（３０、３１、３２）、コンセント本体３３、及びコンセント本体３３を収容する箱体３４を包含し得る。図６及び図７を参照されたい。コンセント本体３３は円板３３０、電気接続構造１、及び回転支持座３３２を包含し得る。
【００１４】
この実施例では、円板３３０には一組の３極挿入孔３３１が設けられて、中国規格或いはオーストラリア規格プラグに適用されるが、これに限定されるわけではない。
【００１５】
電気接続構造１は円板３３０の下に設置され、回転支持座３３２は左半部と右半部に分かれ、組合せ後に電気接続構造１をその内に収容する。
【００１６】
回転支持座３３２はその上部外周に下向きに、この一組の３極挿入孔３３１に対応する第１収容室３３２０、第２収容室３３２１及び第３収容室３３２２が形成されている。
【００１７】
図２を参照されたい。電気接続構造１は第１円柱形導電部１０、第２円柱形導電部１１、第３円柱形導電部１２、Ｌ端子１６、Ｎ端子１７、アース端子１８及び絶縁材料部（符号１９、２０、２１の部分を包含する）を包含する。
【００１８】
該第１円柱形導電部１０、該第２円柱形導電部１１、該第３円柱形導電部１２は軸方向に沿って互いに離間して配設され、そのうち、該第１円柱形導電部１０の内表面は、Ｌ線１３の一端に半田付けされ、第３円柱形導電部１２はＮ線１４の一端に半田付けされ、該第３円柱形導電部１２の内表面は、アース線１５の一端に半田付けされる。
【００１９】
絶縁材料部はモールディングにより、該第１円柱形導電部１０、該第２円柱形導電部１１、及び第３円柱形導電部１２と結合されて、円軸状アセンブリ２を構成する。
【００２０】
Ｌ端子１６、Ｎ端子１７、及びアース端子１８は、それぞれ回転支持座３３２の第１収容室３３２０、第２収容室３３２１、第３収容室３３２２中に設置されて、外部プラグのピンを挟持するのに用いられる。円軸状アセンブリ２は回転支持座３３２のチャネル３３２５中に位置する。
【００２１】
絶縁材料部は、第１環形絶縁部１９、第２環形絶縁部２０を包含する。第１環形絶縁部１９は第１円柱形導電部１０及び第２円柱形導電部１１を隔離し絶縁する。第２環形絶縁部２０は第２円柱形導電部１１と第３円柱形導電部１２を隔離し絶縁する。
【００２２】
第１環形絶縁部１９と第２環形絶縁部２０の直径サイズはいずれも第１円柱形導電部１０、第２円柱形導電部１１、第３円柱形導電部１２より大きい。
【００２３】
図８Ａ及び図８Ｂを参照されたい。左半部と右半部の回転支持座３３２内部には第１階段３３２３及び第２階段３３２４がいずれも包含され、第１環形絶縁部１９は第１階段３３２３上に架設され、第２環形絶縁部２０は第２階段３３２４上に架設され、これにより、円軸状アセンブリ２が回転支持座３３２のチャネル３３２５中に位置決めされる。
【００２４】
このほか、この実施例では、絶縁材料部はさらに、六角形の回転防止部２１を包含し得て、該回転防止部２１は、箱体３４上の六角形の嵌め溝（図示せず）中に嵌め込まれて、円軸状アセンブリ２が回転させられるのを防止する。
【００２５】
特に注意が必要であることは、Ｌ端子１６、Ｎ端子１７、及びアース端子１８はそれぞれ部分的に延伸されて、第１円弧形接触部１６０、第２円弧形接触部１７０、及び第３円弧形接触部１８０が形成され、該第１円弧形接触部１６０は第１円柱形導電部１０の外周面に当接するように組み合わされ、該第２円弧形接触部１７０は第２円柱形導電部１１の外周面に当接するように組み合わされ、該第３円弧形接触部８７０は第３円柱形導電部１２の外周面に当接するように組み合わされることである。
【００２６】
このほか、Ｌ端子１６、Ｎ端子１７、及びアース端子１８はそれぞれ第１円柱形導電部１０、第２円柱形導電部１１、第３円柱形導電部１２に沿って任意回転し、且つ第１円弧形接触部１６０、第２円弧形接触部１７０、第３円弧形接触部１８０はそれぞれ第１円柱形導電部１０の外周面、第２円柱形導電部１１の外周面、第３円柱形導電部１２の外周面と接触及び導通を保持することである。Ｌ端子１６、Ｎ端子１７及びアース端子１８の回転により回転支持座３３２が駆動され、円軸状アセンブリ２の周りを回転する。
【００２７】
これにより、外部プラグ（たとえば中国規格プラグ）が上述の本発明のコンセントに挿入された後、本発明に記載の電気接続構造により、任意に回転可能で並びに通電状態を保持できる。ゆえに、プラグ自身の体積或いは形状によりその他のプラグの差込みが妨害されることがない。
【００２８】
以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。
【符号の説明】
【００２９】
１  電気接続構造                          １０  第１円柱形導電部
１１  第２円柱形導電部                    １２  第３円柱形導電部
１３  Ｌ線                                １４  Ｎ線
１５  アース線                            １６  Ｌ端子
１６０  第１円弧形接触部                  １７  Ｎ端子
１７０  第２円弧形接触部                  １８  アース端子
１８０  第３円弧形接触部                  １９  第１環形絶縁部
２  円軸状アセンブリ                      ２０  第２環形絶縁部
２１  回転防止部                          ３  コンセント
３０、３１、３２  ケーシング              ３３  コンセント本体
３３０  円板                              ３３１  挿入孔
３３２  回転支持座                        ３３２０  第１収容室
３３２１  第２収容室                      ３３２２  第３収容室
３３２３  第１階段                        ３３２４  第２階段
３３２５  チャネル                        ３４  箱体
【図１】
0005272039.tif 000002
【図２】
0005272039.tif 000003
【図３】
0005272039.tif 000004
【図４】
0005272039.tif 000005
【図５】
0005272039.tif 000006
【図６】
0005272039.tif 000007
【図７】
0005272039.tif 000008
【図８Ａ】
0005272039.tif 000009
【図８Ｂ】
0005272039.tif 000010